(57)【特許請求の範囲】
【請求項１】
少なくとも部分的に電気伝導性のある平らな登録標識部材（１１）と少なくとも一つのラベル（２３）とを備える自動車用の登録標識であって、前記登録標識部材（１１）が、少なくとも一つのラベル領域（２２）を有し、前記ラベル（２３）が、前記登録標識部材（１９）の前記ラベル領域（２２）に付属されていて、非接触式に読み取り可能なデータ担体（２０）とアンテナ（７１）とが、前記登録標識部材（１１）に付属されている当該自動車用の登録標識において、
前記データ担体（２０）は、磁界を発生させるデータ担体（２０）であり、前記アンテナ（７１）は、少なくとも一つのスリット（１８、７７、７８）を有する登録標識部材（１１）によって形成されていること、及び
前記データ担体は、前記登録標識部材（１１）内の収容窪み（７９）内に配置されていることを特徴とする登録標識。
【請求項２】
前記データ担体（２０）は、電気的に絶縁されて前記スリット（１８、７７、７８）に付属されていることを特徴とする請求項１に記載の登録標識。
【請求項３】
前記データ担体（２０）は、電気的に絶縁されて前記スリット（１８、７７、７８）の一端の領域内に付属されていることを特徴とする請求項１又は２に記載の登録標識。
【請求項４】
前記データ担体（２０）は、絶縁されて前記スリット（１８、７７、７８）の内部に又は前記スリット（１８、７７、７８）上に配置されていることを特徴とする請求項１〜３のいずれか１項に記載の登録標識。
【請求項５】
前記データ担体（２０）は、電磁誘導的に前記スリット（１８、７７、７８）に連結されていることを特徴とする請求項１〜４のいずれか１項に記載の登録標識。
【請求項６】
前記スリット（１８、７７、７８）は、一つの中断部（１９）を有することを特徴とする請求項１〜５のいずれか１項に記載の登録標識。
【請求項７】
前記中断部（１９）は、前記スリット（１８、７７、７８）をその閉鎖されている端部の領域内で増大させていることを特徴とする請求項６に記載の登録標識。
【請求項８】
前記データ担体（２０）は、前記登録標識部材（１１）内の前記スリット（１８、７７、７８）の前記中断部（１９）の領域内に存在することを特徴とする請求項７に記載の登録標識。
【請求項９】
前記データ担体（２０）は、前記登録標識部材（１１）中に埋め込まれていることを特徴とする請求項１〜８のいずれか１項に記載の登録標識。
【請求項１０】
前記データ担体（２０）は、前記スリット（１８、７７、７８）内又は前記中断部（１９）内に固定されていることを特徴とする請求項１〜９のいずれか１項に記載の登録標識。
【請求項１１】
少なくとも一つの視覚できる被覆（２４）が、自己付着性反射箔として形成されていて、この反射箔が、非伝導性構成部材を有するように、この反射箔は、前記データ担体（２０）又は前記中断部（１９）及び／又は前記スリット（１８、７７、７８）の領域内に形成されていることを特徴とする請求項１０に記載の登録標識。
【請求項１２】
前記収容窪み（７９）は、前記スリット（１８、７７、７８）の一端に付属されていることを特徴とする請求項１〜１１のいずれか１項に記載の登録標識。
【請求項１３】
前記収容窪み（７９）は、床壁（８０）を有し、前記スリット（１８、７７、７８）の一端が、この床壁内に延びているか、又はこの床壁（８０）が、前記データ担体（２０）より小さい開口（８１）を有することを特徴とする請求項１〜１２のいずれか１項に記載の登録標識。
【請求項１４】
前記データ担体（２０）は、一つのチップ（７４）を有することを特徴とする請求項１に記載の登録標識。
【請求項１５】
前記データ担体（２０）は、受動的無線周波数識別チップ（ＲＦＩＤチップ）、当該チップに電気伝導的に接続されている少なくとも１つのコイル（７５）、及び絶縁性又は非伝導性の材料から成る担体（７６）を有することを特徴とする請求項１４に記載の登録標識。
【請求項１６】
前記登録標識部材（１１）は、電気伝導性の金属材料から形成されていることを特徴とする請求項１に記載の登録標識。
【発明の詳細な説明】
【技術分野】
【０００１】
この発明は、請求項１或いは１３の上位概念による自動車用の登録標識に関する。
【背景技術】
【０００２】
この発明による登録標識の場合には、自動車の車体或いはバンパーの前と後に固定される所謂ナンバープレートが扱われ、自動車のガラス板に貼付けられるそのようなナンバープレートが扱われ、しかも特に追加登録標識として扱われる。
【０００３】
上記種類の登録標識はしばしば偽造されるか、或いは外車に使用される。偽造を阻止するために、接触なしに読み取りできるデータ担体を有する登録標識が知られている。これは、登録標識が一部である自動車の重要なデータを包含する。このデータの読み取りは外部読取装置によって行われる。登録標識が使用される自動車と読み取られたデータとの比較は、特に、登録標識が外車に付属されるならば、操縦に関する遡及的推論を許容する。
【０００４】
接触なしに読み取りできるデータ担体を有する従来周知登録標識は一つの別体のアンテナを有する。これは、電線によりデータ担体に接続されていて、データの伝送を可能とする。そのような登録標識が費用のかかり、故障の起き易い。
【先行技術文献】
【特許文献】
【０００５】
【特許文献１】欧州特許出願公開第１９０３５３１号明細書
【特許文献２】国際出願公開第２００８／０２０７７１号明細書
【発明の概要】
【発明が解決しようとする課題】
【０００６】
この発明の課題は、データ担体とアンテナを備えて簡略化された登録標識を創作することである。
【課題を解決するための手段】
【０００７】
この課題を解決する登録標識、特に自動車登録標識は請求項１の特徴事項を有する。この登録標識は、磁界を発生させる少なくとも一つのデータ担体と、少なくとも一つのスリットを有する登録標識部材によって形成されるアンテナとを有する。登録標識部材は少なくとも部分的に電導性材料、例えばアルミニュム薄板から形成されている。磁界を発生させるデータ担体とアンテナとから成るトラスポンダーを備える登録標識が生じる。少なくとも部分的に伝導性登録標識部材のスリットがアンテナとして用いられる登録標識部材にデータ担体のデータの誘導的連結を導く。この場合には、アンテナ、特にスリット或いはデータ担体が増幅器として用いられる。データ担体のデータが追加的構成部材なしに且つデータ担体の接続なしに比較的大きい遠隔から登録標識から読み取りできる。
【０００８】
この発明の好ましい構成によると、データ担体が電気的に絶縁してスリット内部に配置されて、しかも特にスリットの接続された端部に配置されていることが企図されている。それによりデータ担体が登録標識部材に収納できるか、或いは一体化でき、データ担体が追加的構造空間を必要とし、登録標識の外面から利用できないことはない。
【０００９】
好ましくは、データ担体、特に電導性成分が登録標識の登録標識部材に対して接触しない、しかも特に電導性接触しないことが企図されている。データ担体の伝導性成分と登録標識部材のスリットの間にそのために、循環する隙間或いは中間空間が形成されて、それにより登録標識の電導性登録標識部材にデータ担体の特に有効な接触なし連結が行われる。この連結はデータ担体から発生された磁界によって誘導的に生じる。
【００１０】
登録標識の他の好ましい構成は少なくとも一つの中断部を備えるスリットを備えることを企図し、それにより既にスリットの拡大が行われる。好ましくは、中断部がスリットの一端に付属されているので、スリット端が中断部から増大される。スリットの一端の中断部により創作された拡大の領域にデータ担体の配置によって、登録標識部材内の大きなデータ担体用の十分空間が形成される。この場合には、データ担体が登録標識部材の輪郭の内部に存在し、しかもこれにより物質的或いは電気的接触に到らない。データ担体が登録標識の内部に認められず、それにより登録標識の視覚できない電気的或いは電子的安全性が創作される。
【００１１】
好ましくは、データ担体を登録標識に、即ち登録標識部材に固定することが企図されている。そのために、登録標識にデータ担体を固定する各非伝導性手段が考慮されて、この手段が登録標識の全面をカバーしない。特に登録標識部材を少なくとも部分的に覆う少なくとも一つの被膜或いは接着層による固定が生じる。データ担体のデータの読み取り性が電気的非伝導性被膜或いは接着層によって影響されない。データ担体における偶発的操作が被膜或いは接着層の容易に認識できる損傷を導き得た。この発明の選択的構成では、データ担体は登録標識部材の視覚できる前面に塗布された反射箔によってスリット或いは中断部に固定される。この場合には、反射箔が少なくともデータ担体、スリット或いは中断部の少なくとも一方の領域に金属被覆されず、それにより非伝導に形成される。
【００１２】
登録標識の構成が考慮でき、データ担体が登録標識部材内の収容窪みに配置されている。収容窪みには、絶縁されてデータ担体が固定されているので、伝導性成分が伝導性材料から形成された登録標識部材との伝導性接続をしない。登録標識部材におけるデータ担体のスリットの磁気的或いは誘導的連結も行われる。この場合には、登録標識部材がアンテナとしてばかりではなく、むしろ、特に同時に増幅器として用いられ、それによりデータ担体のデータが比較的大きな遠隔から読み取りできる。
【００１３】
特に好ましくは、収容窪みの窪みの底をデータ担体より小さい貫通する開口を備えることであるので、データ担体がこの開口と窪みにもかかわらず、固定できる。開口がアンテナ作用の改良を導き、とにかくデータ担体のチップの送り出力のより良い強化を導く。
【００１４】
データ担体は特に少なくとも一つのチップ、特に受動的無線周波数識別チップ（ＦＲＩＤチップ），少なくとも一つのチップと電気伝導的に接続されたコイルと絶縁材料製担体を有する。担体は登録標識部材にデータ担体を固定することを容易とする。とにかく、絶縁体から形成された担体は、登録標識部材に対するチップとデータ担体のコイルが絶縁されて登録標識に一体化できるので、特に登録標識の登録標識部材にチップの信号を誘導的或いは電磁的連結をもたらすことを確保する。
【００１５】
最初に記載された課題を解決する他の登録標識は、請求項１３の特徴事項を有する。この登録標識には、自動車の種々の箇所に取付けできる所謂箔登録標識が扱われていて、しかもバンパー、車体部分或いは自動車の風防ガラス及び他のガラスが扱われている。箔登録標識は少なくとも一つの層、特に多層と少なくとも一つの接触なし読取り可能なデータ担体、例えばチップモデルを有する。少なくとも一つの層が少なくとも部分的に電気伝導性であるのに対して、通常の層が電気的に非伝導性である。電気伝導性層がスリット状中断部を備えていて、それにより電気伝導性層がアンテナになる。この場合に、アンテナは少なくとも一つのスリット状中断部を備える電気伝導性層によって実現できる。それによって伝送する、特にデータ担体の信号を読み取る別のアンテナをもはや必要としない。電気伝導性層内のスリットが登録標識の外面から認識できない、というのは、電気伝導性層が比較的薄く形成され得るからであり、これによりスリットが決して付着しない、というのは、スリットの領域では伝導性層が単に非伝導性でなければらないからである。スリット状中断部を備える電気伝導性層により形成されたアンテナは、磁界を発生させるか、或いは磁界により稼働できるデータ担体としてのデータ担体の形成によって、特にデータの有効なワイヤなし伝送であることが明らかになる。登録標識のこの特別な形成の際に、アンテナが同時に増幅器として作用することが示された。
【００１６】
この発明の好ましい実施態様は、データ担体を電気的に絶縁して電気伝導性層のスリット状中断部の内部に収納することを企図する。それによって登録標識の電気伝導性層を備えるデータ担体の電気伝導接続部が存在していない。その代わりに、この発明によると、登録標識の電気伝導性層に対するデータ担体の電磁的連結が生じ、それによってスリット状中断部を備える電気伝導性層が誘導的アンテナとして、特にデータ担体用の増幅器として用いられ得る。
【００１７】
好ましくは、登録標識の伝導性層からのデータ担体の電気的絶縁が行われる、というのは、データ担体のすべての伝導性成分が少なくとも部分的電気伝導性層のスリット状中断部の境界から間隔を置かれているからである。
【００１８】
登録標識の他の構成では、データ担体を基礎部材の少なくとも一つの他の非伝導性層によって電気伝導性層の中断部に固定することが企図されている。それによりデータ担体の簡単且つ確実な耐久性中断部が登録標識の電気伝導性層内部に形成されている。
【００１９】
データ担体を電気伝導性層の対向位置する側面に配置された二つの非伝導性層によって電気伝導性層のスリット状中断部内或いは上に固定することが考慮できる。それによってデータ担体が完全に基礎部材に埋め込まれている。データ担体に関する操作は可能でない；というのは、少なくとも一つの層の損傷を強制的に導き得て、それによって操作が容易に確認できただろうからである。
【００２０】
好ましくは、データ担体を固定するのに用いられる少なくとも一つの層が一つの被覆或いは自己付着性箔である。一つの箔の片面には少なくとも部分的電気伝導性層が例えば蒸着によって塗布される。蒸着の際に、すぐにスリット状中断部が電気伝導性層に形成され得る。この形式では、アンテナが非伝導性担体箔にスリット状中断部を備える電気伝導性層を部分的に塗布することによって非常に簡単に形成され、この場合に、データ担体或いは中断部の少なくとも一方の領域に電気伝導性被膜が蒸着されない。
【００２１】
この発明の好ましい形成によると、登録標識の少なくとも一つの層に独創性特徴事項を付属することが考慮できる。この独創性特徴事項は特にホログラムとして形成され得る。そのようなホログラムは偽造するのに非常に費用がかかる。それ故に、登録標識が特に操作確実になる。独創性特徴事項が好ましくは、電気伝導性層に付属されている。
【００２２】
箔登録標識の際にも、接触なしに読取り可能なデータ担体が受動的チップ、特に受動的無線周波数識別チップ（ＦＲＩＤチップ），少なくとも一つのコイルと担体を有する。そのようなデータ担体が比較的小さく製造され、それによってデータ担体が容易に登録標識の電気伝導性層のスリット状中断部内に収納できる。
【００２３】
この発明の好ましい実施例は、次に図面に基づいて詳細に説明される。
【図面の簡単な説明】
【００２４】
【図１】アルミュウム薄板製登録標識部材と一体化されたデータ担体とを備えるこの発明の登録標識を示す。
【図２】図１の登録標識の横断面を示す。
【図３】データ担体を平面図で示す。
【図４】登録標識の第二実施例を図１による表示で示す。
【図５】登録標識の第三実施例を図１による表示で示す。
【図６】登録標識の第四実施例を図２による表示で示す。
【図７】登録標識の第五実施例を図２による表示で示す。
【図８】この発明の第六実施例による平らな登録標識を通る横断面を示す。
【図９】この発明の第七実施例による箔状登録標識を図８に類似する横断面を示す。
【図１０】この発明の第八実施例による箔状登録標識を平面図で示す。
【図１１】図１０の箔状登録標識を通る横断面を示す。
【発明を実施するための形態】
【００２５】
図１乃至７に示された登録標識１０はアルミュウム薄板製のプレート状登録標識部材１１を有する。登録標識１０は長方形に形成されていて、その規格外れが通常の自動車登録標識に相当する。登録標識部材１１は縁１２に循環する折り部１３を備えている。この折り部１３は変形方法によって、特に刻印によって登録標識部材１１に取付けられる。
【００２６】
この種の登録標識１０、所謂ナンバープレートが通常には自動車の前後に、しかも車体或いはバンパーの少なくとも一方に取付けられる。そのために、登録標識１０が複数の固定孔１５を有する。
【００２７】
折り部１３によって限定された前面１４の内部に登録標識部材１１がラベル貼付け領域２２を有する。ラベル貼付け領域２２上に登録標識１０のラベル２３が存在する。ラベル貼付け領域２２にラベル２３を取付けることは、特に同様に刻印によって行われる。
【００２８】
ラベルは任意であり、即ち図１、４と５に示された例に限定されていない。特に文字、数と符号の各組合せが可能であり、ラベル２３を形成させる。
【００２９】
登録標識１０はトラスポンダーを有する。トラスポンダーはアンテナ１７と受動的データ担体２０を有する。データ担体２０の記憶されたデータがアンテナ１７によって接触なしに読み取りできる。データ担体２０は登録標識１０が属する自動車の選別されたデータを有する。データ担体２０は、ここで受動的無線周波数識別チップ（ＦＲＩＤチップ）として形成されている受動的チップ７４、電気伝導的にチップ７４に接続されているコイル７５と担体箔或いは担体部材として形成され得る（図３）非伝導性材料、例えば合成樹脂から成る担体７６とを有する。データ担体２０を形成する受動的ＦＲＩＤチップは、８００ＭＨＺと１０００ＭＨＺの間の周波数範囲で作動する。ＦＲＩＤチップはアンテナ１７を介して誘導的に連結される磁界を発生させる。
【００３０】
アンテナ１７は登録標識部材１１を形成するために、電気伝導性登録標識部材１１の内部に、即ちアルミュウム薄板内にスリットを有する。それによりアンテナ１７はスリット１８を備える登録標識部材１１により形成されている。
【００３１】
スリット１８は図１の実施例で登録標識部材１１の上縁１６からこの上縁１６に対しておよそ垂直に登録標識部材１１の中へ延びている。それによってスリット１８が片面において開放する。しかし、スリット１８は登録標識部材１１の各他の縁からも出発できる。スリット１８の開放側面に対向位置している端部では登録標識部材１１の内部に中断部１９が配置されている。この中断部１９はスリット１８の登録標識部材１１に位置して閉鎖された端部を拡大する。この場合に、中断部１９はデータ担体２０の構成或いは基面と一致するので、データ担体２０が中断部１９に挿入できる、即ち中断部１９の限定面により包囲される、特に循環隙間が中断部１９とデータ担体２０の間にある。データ担体２０は登録標識部材１１の非伝導性担体７６により電気的に絶縁されている。この形式では、アンテナ１７にデータ担体２０を誘導的に連結することを生じる。
【００３２】
前記形式に形成されたアンテナ１７は登録標識１０の際に同時にチップ７４の信号用の増幅器として用いられ、それによって登録標識１０から比較的大きな間隔を備える該当データが読み取られる。
【００３３】
登録標識１０はラベル２３を備える前面上に自己接着性で特に反射する箔として形成された被覆を有する。箔２４は登録標識１０の全前面１４を覆う。それ故に、中断部１９を有するスリット１８とデータ担体２０が完全に箔２４により覆われている。金属伝導性構成部材を備える反射箔２４の場合には、データ担体２０、中断部１９とスリット１８が存在する反射箔２４が非金属化領域８３を備えているか、或いは層構成では、データ担体２０、中断部１９とスリット１８の領域に反射箔２４が非伝導性であるように、変更されたことが企図されている。それ故に、反射箔２４がスリット１８の全領域に中断部１９を含めて完全に非伝導性である。好ましくは、反射箔２４がスリット１８と中断部１９或いはデータ担体２０に限定する縁領域に貫通して電気非伝導性に形成されて、特に非金属化される。
【００３４】
登録標識部材１１の裏面２６上に非伝導性接着材２５が配置されている。示された実施例では（図２）、この接着材２５が少なくとも中断部１９を備えるスリット１８の領域とスリットに配置されたデータ担体２０とを覆う。けれども、接着材２５は大きな領域を覆うか、或いは登録標識１０の全裏面２６を覆う自己付着性箔として形成されている。
【００３５】
データ担体２０、特に担体７６は、登録標識部材１１が厚いような高さである。これによりデータ担体２０を前面１４上に塗布された箔２４と裏面２６上に塗布された接着材２５との間に中断部１９の内部に平らに結合して中断して固定する（図２）ことが可能である。
【００３６】
図３に示された担体７６は丸い基板を有し、しかも中断部１９と同様である。しかし、担体７６とその担体に一致する中断部１９とが任意の他の幾何学的構成を備える基面を有する。中断部１９の平面は幾何学的にデータ担体２０の基面、即ち担体７６と一致する。中断部１９は示された実施例では担体７６より大きく、それによって担体７６が循環隙間により包囲されている。
【００３７】
図４は、図１と２とは、変更されたスリット７７によって相違している登録標識１０を示す。このスリット７７は両面に閉鎖された端部を有する。スリット７７は登録標識部材１１の下縦縁までの平行な僅かな間隔により延びていて、しかもラベル貼付け領域２２の領域に延びている。示された実施例では、直線状スリット７７がラベル２３と折り部１３の間に登録標識１０の下縦縁に位置する。
【００３８】
スリット７７の一端には中断部１９が付属されていて、この中断部はデータ担体２０の基面、即ち担体７６と一致するように、形成されている。中断部１９は図１と２の実施例の際と同様に形成されている。データ担体２０は図３に示されたデータ担体２０に一致する。
【００３９】
図５の登録標識１０は前もって記載された実施例の登録標識１０とは、スリット７８が他の経過を有することを相違している。このスリット７８は両端部において閉鎖されるが、直角に屈曲され、しかも特に中心に屈曲される。それによってスリット７８の半部が縦縁の領域に延びているのに対して、スリット７８の他の部分が登録標識１０の短い横縁と平行に延びている。スリット７８の閉鎖された一端には再び中断部１９が付属されていて、中断部はデータ担体２０に一致して形成されている。示された実施例では、データ担体２０を備える中断部１９が屈曲されたスリット７８の同じ端部に存在し、このスリットは登録標識部材１１の縦縁に付属されている。しかし、データ担体２０を備える中断部１９はスリット７８の同じ端部に存在し、スリットは登録標識部材１１の短い横縁に付属されている。データ担体２０は図３に図示されるように、形成されている。図１乃至３の記載に関連している。
【００４０】
図６の登録標識１０は、前もって記載された実施例の登録標識とは、データ担体２０が図３に図示され且つ記載されるように基本的に形成されていて、収容窪み７９に配置されていることを相違する。収容窪み７９は折り部１３のように薄板から形成された登録標識部材１１に刻印され、しかも登録標識部材１１の前面１４から刻印され、それによって収容窪み７９が登録標識１０の前面１４において開放している。それによってデータ担体２０が前面１４から収容窪み７９に挿入できる。収容窪み７９の深さは、データ担体２０の登録標識１０の前面１４に向く上面がおよそ登録標識１０の前面１４と結合して終えている。
【００４１】
収容窪み７９は登録標識部材１１のスリットの一端に付属されている。スリットのこの端部が中断部１９を有しないものを使用し、中断部１９がこの実施例では収容窪み７９によって交換される。収容窪み７９がスリット１８、７７或いは７８の一端に存在する。収容窪み７９は登録標識部材１１の各スリット１８、７７或いは７８の端部に刻印されていて、それによって収容窪み７９の床壁８０が各スリット１８、７７或いは７８の端部により形成された貫通開口８１を有する。この開口８１はデータ担体２０の担体７６の寸法より小さい少なくとも幅であり、それによってデータ担体２０が収容窪み７９の床壁８０における貫通開口８１を通して通過しない。
【００４２】
示された実施例では、収容窪み７９が登録標識部材１１に刻印されて、その後に前面１４が既に箔２４を備えている。反射箔を扱っている箔２４が収容窪み７９の床壁８０の上に延びている。この場合には、データ担体２０は非伝導性物質、例えば接着材８２によって固定されている。接着材８２は、示された実施例では、担体７６とそれに比べて大きな収容窪み７９の間にデータ担体２０の環状周りに包囲する中間空間を充填するので、データ担体２０と接着材８２によって収容窪み７９が完全に充填されている（図６）。ここで示された実施例では、箔２４が収容窪み７９とデータ担体２０の領域で非金属化されなく使用する。収容窪み７９には登録標識１０の前面１４からラベルが貼付けられる。
【００４３】
図７は登録標識１０の他の実施例を示し、それは図６の登録標識のように、収容窪み７９を有する。収容窪み７９は図６の登録標識におけるのと正確に形成されていて、それ故に、収容窪みが同じ参照符号を備えている。特に収容窪み７９の床壁８０がここで一つの開口８１を有し、この開口がスリット１８、７７或いは７８の一端から形成されている。
【００４４】
図６の実施例と相違して、図７の実施例では、箔２４が登録標識部材１１の前面１４に貼付けらる前に、収容窪み７９が登録標識部材１１に刻印される。それによって収容窪み７９の内面が箔２４により被覆されていない。データ担体２０がむしろ被覆されていない収容窪み７９に挿入されている。この場合には、電気非伝導性絶縁体が登録標識部材１１の伝導性薄板とデータ担体２０の間に非伝導性材料によって考慮される。データ担体２０は収容窪み７９にしっかりと貼付けられていない。むしろ、データ担体２０は床壁８０の開口８１を部分的に包囲する部分上の下面に置かれているのに対して、データ担体２０は図７に示された登録標識１０の際に収容窪み７９上にしかも平らに延びている箔２４によって上面に保持されている。示された実施例では、箔２４の際に、伝導性特性を備える反射箔が取り扱われている。それ故に、反射箔がデータ担体２０或いは収容窪み７９の領域に非金属化された領域８３によって電気非伝導性である。それによって収容窪み７９に配置されたデータ担体２０が増幅された信号を発送でき、この信号は登録標識１０から比較的大きな間隔を置いて読取り装置により受信され得る。
【００４５】
スリット１８、７７或いは７８は、登録標識部材１１を形成するために薄板の１．５倍乃至２倍の厚さに一致する幅を有する。それ故に、薄板厚さに応じてスリットが１．５ｍｍと２．５ｍｍの間、特におよそ２ｍｍの幅を有する。スリットの長さは１００ｍｍと２００ｍｍの間、特におよそ１６０ｍｍである。データ担体２０が６ｍｍと１０ｍｍの間の領域に位置し、特におよそ８ｍｍである。データ担体２０、特に担体７６の厚さが登録標識１０の場合におよそ登録標識部材１１の薄板厚さに一致できる。
【００４６】
他のこの発明の登録標識３０は図８を示す。登録標識３０は図１乃至７のナンバープレートを図示した登録標識１０と同じフォーマットを有する。けれども、登録標識３０は箔登録標識として形成されている。そのような箔登録標識は自動車の車体或いはバンパーの前或いは後の少なくとも一方に取付けられ、しかもフレームに収容されるか、或いは貼付けられる。  
【００４７】
登録標識３０は受動的データ担体３８と場合によっては増幅器として用いられるアンテナ３６とを有する。この場合に、アンテナ３６とデータ担体３８は、先行実施例のアンテナ１７とデータ担体２０のように形成されていて、それぞれに各同じ機能を満たすか、或いは同じ特性を有する。
【００４８】
登録標識３０は複数のから形成されている基礎部材３１を有する。この場合に、非伝導性担体層３２は登録標識３０を形成して安定化するのに用いられる。この薄い或いは箔状担体層３２は熱可塑性合成樹脂から成り、一つの側面により登録標識３０の裏面４０を形成する。担体層３２には電気伝導性層３３が塗布されて、その上にこの電気伝導性層３３を保護するために、カバー層３９が配置されている。カバー層３９は示された実施例では、反射する表面を備える自己付着性箔として形成されている。登録標識３０の外部から接近する前面４１にはカバー層３９上にラベル４２が塗布され、例えば押圧されている。
【００４９】
電気伝導性層３３はスリット状中断部３４を有する。このスリット状中断部３４の領域では、電気伝導性層３３が非伝導性である。スリット状中断部３４が電気伝導性層３３の一つの縁から、特に登録標識３０の縁３５から登録標識３０における縁３５に垂直に延びている。それ故に、スリット状中断部３４が登録標識３０の縁上に位置する一端に開放している。これに対して、スリット状中断部３４の登録標識３０に対向位置している端部が閉鎖されている。スリット状中断部３４が電気伝導性層３３にアンテナ３６の特性を与えて、それぞれのデータ担体３８のチップ７４が接触なしに読み取られる。
【００５０】
内側位置する閉鎖端には、スリット状中断部３４が電気伝導性層３３の拡大部３７を有する。この拡大部３７の領域には、データ担体３８が配置されている。この場合に、拡大部３７がデータ担体３８の構成或いは基面と一致する。好ましくは、拡大部３７がデータ担体３８よりおよそ大きいので、データ担体３８が拡大部３７の限定部に対して環状周りに間隔を置かれている。
【００５１】
電気伝導性層３３は電気伝導性材料を非伝導性箔上に蒸着することによって形成されている。スリット状中断部３４と拡大部３７の領域には、非伝導性箔が蒸着されないので、この領域には、電気伝導性層３３が存在しなく、それによってスリット状中断部３４と拡大部３７が形成されている。選択的に中断部３４と拡大部３７が全体電気伝導性層３３によって形成されている。
【００５２】
データ担体３８が電気伝導性層３３のスリット状中断部３４の拡大部３７の内部に電気伝導性層３３の片側面上のカバー層３９と電気伝導性層３３の他側面上の担体層３２とによって固定されている。データ担体３８は電気伝導性層３３とおよそ同じ厚さであり、それによってデータ担体がスリット状中断部３４に収納でき、データ担体が電気伝導性層３３の前面と裏面に対して突き出さなく、それによって登録標識３０の外面により認識できない。この目的のために、データ担体３８の担体７６が箔状に形成されている。
【００５３】
図８の表示と相違して、スリット状中断部３４が図４と５のスリット７７或いは７８の基面を備えて直線状帯として或いは屈曲された帯として形成されているので、スリット状中断部３４は両側に閉鎖され得る。拡大部３７がスリット状中断部３４の一端に配置されている。
【００５４】
登録標識５０の他の実施例の構成は図９を示す。登録標識５０は先行実施例（図８）のように箔登録標識として形成されている。登録標識５０もデータ担体５４とアンテナ５９を備えている。この場合に、データ担体５４とアンテナ５９が形成されて、図８の実施例のデータ担体３８とアンテナ３６と同じ特性を有する。
【００５５】
登録標識５０は非伝導性担体層５１を有する。この担体層５１上に電気伝導性層５２が塗布されている。この電気伝導性層５２上に非伝導性カバー層５５が配置されている。このカバー層５５が自己付着性箔或いはラッカー層から成る。
【００５６】
登録標識５０の外部から視覚できる前面５６上にラベル５７が設けられ、特に押圧される。外部からの機械的影響からラベル５７を保護するために、追加的非伝導性保護層５８が設けられている。この保護層５８は、ラベル５７の読取り性に影響させることなしに、透明である。この保護層は示された実施例では、自己付着性箔であるが、しかし、ラッカー層でもある。
【００５７】
電気伝導性層５２は、アンテナ５９を形成する、即ち言い換えると、電気伝導性層５２がアンテナ５９として、場合によっては増幅器としても用いられることを導く中断部５３を有する。中断部５３は、先行実施例では、拡大部を備える片面に開放するスリット状中断部５３として閉鎖端部に形成されているので、しかし、中断部が両面にも閉鎖される。
【００５８】
電気伝導性層５２のスリット状中断部５３の内部に受動的データ担体５４が取付けられている。データ担体５４は中断部５３のすべての限定部より間隔を置かれていて、それによって電気式且つ機械式に電気伝導性層５２により分離されて絶縁されている。登録標識５０の際にも、データ担体が担体層５１とカバー層５５の間に配置されているので、担体層５１とカバー層５５によりデータ担体５４が中断部５３の固定されている。  
【００５９】
この発明の登録標識６０の他の実施例は図１０と１１を示す。この登録標識６０は先行実施例の登録標識１０、３０、５０より小さい。そのような登録標識６０は好ましくは、自動車のガラス板上の追加登録標識として貼付けられる。例えば登録標識６０が風防ガラス７０の内面に貼付けられ、しかも登録標識が外部から視覚できる。
【００６０】
登録標識６０はデータ担体６６とアンテナ７１を有する。データ担体６６は、前記実施例の際のように、受動的ＲＦＩＤチップ７４であり、このチップが８００ＭＨＺ乃至１０００ＭＨＺの周波数範囲で作動して磁界を発生させる。データ担体６６は登録標識６０が属する自動車のデータも維持する。これらデータはアンテナ７１によって接触なしに読み取りできる。
【００６１】
登録標識６０は箔状登録標識６０として形成されている。登録標識は基礎部材６１を有し、基礎部材が複数の層から成る。非伝導性担体層６２上に登録標識６０のラベル６３が貼付けられる。担体層６２のラベル６３を支持する側面上に非伝導性接着材層６４が設けられている。担体層６２上に電気伝導性層６５が存在する。電気伝導性層６５は接着材層６４によって担体層６２と接続されている。このために、基礎部材６１が非伝導性カバー層６８を有し、カバー層６８が電気伝導性層６５上に塗布されている。
【００６２】
電気伝導性層６５は示された実施例では、金属化箔或いは金属層により蒸着された非伝導性箔から成る。電気伝導性層６５は視覚できる独創性登録標識、例えば図に詳細に図示されていないホログラムを有する。ホログラムとラベル６３の視覚性を保証するために、接着材層６４と担体層６２が透明である。
【００６３】
電気伝導性層６５はスリット状中断部６７を有する。スリット状中断部６７は電気伝導性層６５と共にアンテナ７１を形成する。スリット状中断部６７はデータ担体６６に付属されていて、データ担体は電気伝導性層６５の内部のスリット状中断部６７の拡大部７２に配置されている。電気伝導性層６５はスリット状中断部６７と拡大部７２の領域に、場合によってはそれに限定する縁領域に電気非伝導的に形成されている、というのは、ここで伝導性被覆が節約されるか、或いは電気伝導性層６５が非金属化されるからである。データ担体６６は拡大部７２のすべての限定部７３から間隔を置かれていて、それによって電気伝導性層６５から少なくとも電気的に絶縁されている。それによってアンテナ７１に或いは登録標識６０の電気伝導性層６５にデータ担体６６を完全に接触なし誘導的連結することが行われる。
【００６４】
カバー層６８は電気伝導性層６５の内部にデータ担体６６を固定し、これを操作のために接近できない。その上、透明に形成されていないカバー層６８がホログラム並びにラベル６３用の光学背景として用いられる。
【００６５】
登録標識６０は通常には、登録標識が自動車の風防ガラス７０の操作或いは除去の際に破壊されるように、構成されている。
【符号の説明】
【００６６】
１０．．．．．登録標識
１１．．．．．登録標識部材
１２．．．．．縁
１３．．．．．折り部
１４．．．．．前面
１５．．．．．固定孔
１６．．．．．上縁
１７．．．．．アンテナ
１８．．．．．スリット
１９．．．．．中断部
２０．．．．．データ担体
２１．．．．．限定面
２２．．．．．ラベル領域
２３．．．．．ラベル
２４．．．．．箔
２５．．．．．接着材
２６．．．．．裏面
３０．．．．．登録標識
３１．．．．．基礎部材
３２．．．．．担体層
３３．．．．．電気伝導性層
３４．．．．．スリット状中断部
３５．．．．．縁
３６．．．．．アンテナ
３７．．．．．拡大部
３８．．．．．データ担体
３９．．．．．カバー層
４０．．．．．裏面
４１．．．．．前面
４２．．．．．ラベル
５０．．．．．登録標識
５１．．．．．担体層
５２．．．．．電気伝導性層
５３．．．．．中断部
５４．．．．．データ担体
５５．．．．．カバー層
５６．．．．．前面
５７．．．．．ラベル
５８．．．．．保護層
５９．．．．．アンテナ
６０．．．．．登録標識
６１．．．．．基礎部材
６２．．．．．担体層
６３．．．．．ラベル
６４．．．．．接着材層
６５．．．．．電気伝導性層
６６．．．．．データ担体
６７．．．．．スリット状中断部
６８．．．．．カバー層
６９．．．．．接着材層
７０．．．．．風防ガラス
７１．．．．．アンテナ
７２．．．．．拡大部
７３．．．．．限定部
７４．．．．．チップ
７５．．．．．コイル
７６．．．．．担体
７７．．．．．スリット
７８．．．．．スリット
７９．．．．．収容窪み
８０．．．．．床壁
８１．．．．．開口
８２．．．．．接着剤
８３．．．．．非金属化された領域
【図１】
0005633076.tif 000002
【図２】
0005633076.tif 000003
【図３】
0005633076.tif 000004
【図４】
0005633076.tif 000005
【図５】
0005633076.tif 000006
【図６】
0005633076.tif 000007
【図７】
0005633076.tif 000008
【図８】
0005633076.tif 000009
【図９】
0005633076.tif 000010
【図１０】
0005633076.tif 000011
【図１１】
0005633076.tif 000012